(57)【要約】【課題】複数の二次電池モジュールが収納される収納空間に消火剤を短時間に行き渡らせる。【解決手段】複数の二次電池モジュール５−１〜５−ｎが配置される収納空間６のうちの互いに異なる複数の位置にそれぞれ配置される複数の噴射ノズル２３と、複数の噴射ノズル２３に消火剤を供給する消火剤供給装置２２とを備えている。複数の噴射ノズル２３は、消火剤供給装置２２から消火剤が供給されることにより消火剤を収納空間６に噴射する。このような蓄電装置消火設備２１は、消火剤が一箇所から噴射される他の蓄電装置消火設備に比較して、複数の二次電池モジュール５−１〜５−ｎの収納空間６に消火剤をより短時間に行き渡らせることができ、複数の二次電池モジュール５−１〜５−ｎを適切に消火することができる。【選択図】図３
2016067642.tif 000002
【特許請求の範囲】
【請求項１】
複数の二次電池モジュールが配置される収納空間のうちの互いに異なる複数の位置にそれぞれ配置される複数の噴射ノズルと、
前記複数の噴射ノズルに消火剤を供給する消火剤供給装置とを備え、
前記複数の噴射ノズルは、前記消火剤供給装置から前記消火剤が供給されることにより前記消火剤を前記収納空間に噴射する蓄電装置消火設備。
【請求項２】
前記複数の二次電池モジュールを冷却する冷却空気を前記収納空間に循環させる空気調和装置をさらに備え、
前記複数の噴射ノズルは、前記収納空間のうちの前記複数の電池モジュールより前記冷却空気の上流側の領域に噴射する請求項１に記載の蓄電装置消火設備。
【請求項３】
前記複数の二次電池モジュールの各々は、
二次電池モジュール本体と、
前記収納空間を循環する冷却空気を前記二次電池モジュール本体に送風するモジュールファンとを有し、
前記複数の噴射ノズルは、前記モジュールファンの吸気側の領域に前記消火剤を噴射する請求項１または請求項２に記載の蓄電装置消火設備。
【請求項４】
前記複数の噴射ノズルは、互いに異なる複数の高さにそれぞれ配置される複数のノズルを含む請求項１から請求項３のうちのいずれか一項に記載の蓄電装置消火設備。
【請求項５】
前記収納空間のうちの前記複数の位置と異なる他の複数の位置にそれぞれ配置される他の複数の噴射ノズルと、
前記他の複数の噴射ノズルに他の消火剤を前記他の複数の噴射ノズルに供給する他の消火剤供給装置とをさらに備え、
前記他の複数の噴射ノズルは、前記他の消火剤供給装置から前記他の消火剤が供給されることにより、前記他の消火剤を前記収納空間に噴射する請求項１から請求項４に記載の蓄電装置消火設備。
【請求項６】
前記収納空間のうちの互いに異なる複数の探知位置にそれぞれ配置される複数の煙探知機と、
前記複数の煙探知機のいずれかにより煙が感知されたときに前記複数の噴射ノズルから前記消火剤が噴射されるように、前記消火剤供給装置を制御する制御装置と、
をさらに備える請求項１から請求項５のうちのいずれか一項に記載の蓄電装置消火設備。
【請求項７】
前記消火剤供給装置と前記複数の噴射ノズルとを接続する流路のうちの複数の部分をそれぞれ開閉する複数の開閉弁をさらに備え、
前記制御装置は、前記複数の煙探知機のうちの煙を感知した煙探知機に基づいて前記複数の部分から選択された部分が開閉するように前記複数の開閉弁を制御する請求項６に記載の蓄電装置消火設備。
【請求項８】
請求項１から請求項７のうちのいずれか一項に記載の蓄電装置消火設備と、
前記複数の二次電池モジュールと、
前記収納空間を形成するコンテナと
を備える蓄電装置。
【請求項９】
複数の二次電池モジュールが配置される収納空間のうちの複数の位置にそれぞれ配置される複数の噴射ノズルと、
前記複数の噴射ノズルに消火剤を供給する消火剤供給装置と、
前記収納空間に配置される煙探知機とを備え、
前記複数の噴射ノズルは、前記消火剤供給装置から前記消火剤が供給されることにより、前記消火剤を前記収納空間に噴射する蓄電装置消火設備
を用いて実行される蓄電装置消火方法であり、
前記煙探知機を用いて前記収納空間での煙の発生を監視すること、
前記煙探知機により煙が感知されたときに、前記複数の噴射ノズルから前記消火剤が噴射されるように、前記消火剤供給装置を制御すること
を備える蓄電装置消火方法。
【発明の詳細な説明】
【技術分野】
【０００１】
本発明は、蓄電装置消火設備、蓄電装置および蓄電装置消火方法に関する。
【背景技術】
【０００２】
コンテナ内に複数の二次電池モジュールを備える蓄電装置が知られている。複数の二次電池モジュールを構成するリチウムイオン二次電池は、劣化の進展、異物混入による電池内部の短絡、過充電、加熱など種々の原因で温度が急上昇する熱暴走を起こし、発火することがある。このため、蓄電装置は、出火した複数の二次電池モジュールを消火する消火設備を備えている（たとえば、特許文献１参照）。
【先行技術文献】
【特許文献】
【０００３】
【特許文献１】特開２０１４−３６７８０号公報
【発明の概要】
【発明が解決しようとする課題】
【０００４】
蓄電装置は、コンテナが比較的大きいときに、出火した複数の二次電池モジュールの消火に要する時間が長時間化し、二次電池の熱暴走の伝播、連爆、類焼が発生することがある。しかしながら、特許文献１には、複数の二次電池モジュールが収納される収納空間に消火剤を行き渡らせる時間を低減することすることに関して、何ら示されていない。
【０００５】
本発明は、このような事情に鑑みてなされたものであって、その目的とするところは、複数の二次電池モジュールが収納される収納空間に消火剤を短時間に行き渡らせる蓄電装置消火設備、蓄電装置および蓄電装置消火方法を提供することにある。
【課題を解決するための手段】
【０００６】
上記課題を解決するために、本発明の蓄電装置消火設備、蓄電装置および蓄電装置消火方法は、以下の手段を採用する。
本発明による蓄電装置消火設備は、複数の二次電池モジュールが配置される収納空間のうちの互いに異なる複数の位置にそれぞれ配置される複数の噴射ノズルと、前記複数の噴射ノズルに消火剤を供給する消火剤供給装置とを備えている。前記複数の噴射ノズルは、前記消火剤供給装置から前記消火剤が供給されることにより前記消火剤を前記収納空間に噴射する。
【０００７】
このような蓄電装置消火設備は、消火剤が一箇所から噴射される他の蓄電装置消火設備に比較して、複数の二次電池モジュールの収納空間に消火剤をより短時間に行き渡らせることができる。
【０００８】
本発明による蓄電装置消火設備は、前記複数の二次電池モジュールを冷却する冷却空気を前記収納空間に循環させる空気調和装置をさらに備えている。前記複数の噴射ノズルは、前記収納空間のうちの前記複数の電池モジュールより前記冷却空気の上流側の領域に噴射する。
【０００９】
このような蓄電装置消火設備は、複数の二次電池モジュールの収納空間のうちの冷却冷媒の下流側に消火剤が噴射される他の蓄電装置消火設備に比較して、消火剤を複数の電池モジュールに高効率に供給することができる。
【００１０】
前記複数の二次電池モジュールの各々は、二次電池モジュール本体と、前記収納空間を循環する冷却空気を前記二次電池モジュール本体に送風するモジュールファンとを有している。前記複数の噴射ノズルは、前記モジュールファンの吸気側の領域に前記消火剤を噴射する。
【００１１】
このような蓄電装置消火設備は、複数の二次電池モジュールの収納空間のうちの冷却冷媒の下流側に消火剤が噴射される他の蓄電装置消火設備に比較して、複数の二次電池モジュールの収納空間に消火剤をより短時間に行き渡らせることができる。
【００１２】
前記複数の噴射ノズルは、互いに異なる複数の高さにそれぞれ配置される複数のノズルを含んでいる。
【００１３】
このような蓄電装置消火設備は、互いに高さが異なる複数の噴射ノズルから消火剤を噴射することにより、複数の噴射ノズルが１つの水平面上にしかない他の蓄電装置消火設備に比較して、複数の二次電池モジュールの収納空間に消火剤をより短時間に行き渡らせることができる。
【００１４】
本発明による蓄電装置消火設備は、前記収納空間のうちの前記複数の位置と異なる他の複数の位置にそれぞれ配置される他の複数の噴射ノズルと、前記他の複数の噴射ノズルに他の消火剤を前記他の複数の噴射ノズルに供給する他の消火剤供給装置とをさらに備えている。前記他の複数の噴射ノズルは、前記他の消火剤供給装置から前記他の消火剤が供給されることにより、前記他の消火剤を前記収納空間に噴射する。
【００１５】
このような蓄電装置消火設備は、複数の消火剤供給装置から供給される消火剤を収納空間に噴射することにより、消火剤供給装置が１つしかない他の蓄電装置消火設備に比較して、複数の二次電池モジュールの収納空間に消火剤をより短時間に行き渡らせることができる。
【００１６】
本発明による蓄電装置消火設備は、前記収納空間のうちの互いに異なる複数の探知位置にそれぞれ配置される複数の煙探知機と、前記複数の煙探知機のいずれかにより煙が感知されたときに前記複数の噴射ノズルから前記消火剤が噴射されるように、前記消火剤供給装置を制御する制御装置とをさらに備えている。
【００１７】
このような蓄電装置消火設備は、複数の二次電池モジュールの収納空間に分散配置された複数の煙探知機を用いて煙の発生を監視することにより、煙探知機を１つだけ備える他の蓄電装置消火設備に比較して、煙の発生をより早く感知することができ、複数の二次電池モジュールの収納空間に消火剤をより早く噴射させることができ、複数の二次電池モジュールの収納空間に消火剤をより早く行き渡らせることができる。
【００１８】
本発明による蓄電装置消火設備は、前記消火剤供給装置と前記複数の噴射ノズルとを接続する分岐管により形成される複数の流路をそれぞれ開閉する複数の開閉弁をさらに備えている。このとき、前記制御装置は、前記複数の煙探知機のうちの煙を感知した煙探知機に基づいて前記複数の流路から選択された流路が開閉するように前記複数の開閉弁を制御する。
【００１９】
このような蓄電装置消火設備は、煙を感知した煙探知機に基づいて複数の開閉弁を開閉することにより、たとえば、煙を感知した煙探知機が配置されている領域に消火剤が多く噴射されるように複数の開閉弁を開閉することにより、出火した二次電池モジュールに多くの消火剤を供給することができ、出火した二次電池モジュールを適切に迅速に消火することができる。
【００２０】
本発明による蓄電装置は、本発明による（装置）と、前記複数の二次電池モジュールと、前記収納空間を形成するコンテナとを備えている。このような蓄電装置は、蓄電装置消火設備が複数の二次電池モジュールの収納空間に消火剤を短時間に行き渡らせることができることにより、複数の二次電池モジュールを適切に消火することができる。
【００２１】
本発明による蓄電装置消火方法は、本発明による蓄電装置消火設備を用いて実行される。蓄電装置消火設備は、複数の二次電池モジュールが配置される収納空間のうちの複数の位置にそれぞれ配置される複数の噴射ノズルと、前記複数の噴射ノズルに消火剤を供給する消火剤供給装置と、前記収納空間に配置される煙探知機とを備え、前記複数の噴射ノズルは、前記消火剤供給装置から前記消火剤が供給されることにより、前記消火剤を前記収納空間に噴射する。本発明による蓄電装置消火方法は、前記煙探知機を用いて前記収納空間での煙の発生を監視すること、前記煙探知機により煙が感知されたときに、前記複数の噴射ノズルから前記消火剤が噴射されるように、前記消火剤供給装置を制御することを備えている。
【００２２】
このような蓄電装置消火方法によれば、蓄電装置消火設備は、複数の噴射ノズルから消火剤が噴射されることにより複数の二次電池モジュールの収納空間に消火剤をより短時間に行き渡らせることができる。
【発明の効果】
【００２３】
本発明による蓄電装置消火設備、蓄電装置および蓄電装置消火方法は、複数の二次電池モジュールの収納空間に消火剤を短時間に行き渡らせることができる。
【図面の簡単な説明】
【００２４】
【図１】第１実施形態にかかる蓄電装置消火設備が設置される蓄電装置を示す平面図である。
【図２】図１の蓄電装置を示す横断面図である。
【図３】図１の蓄電装置を示す縦断面図である。
【図４】二次電池モジュールを示す側面図である。
【図５】第２実施形態にかかる蓄電装置消火設備を示す縦断面図である。
【図６】第３実施形態にかかる蓄電装置消火設備が設置される蓄電装置を示す縦断面図である。
【図７】図６の蓄電装置を示す横断面図である。
【図８】第４実施形態にかかる蓄電装置消火設備が設置される蓄電装置を示す縦断面図である。
【図９】第５実施形態にかかる蓄電装置消火設備が設置される蓄電装置を示す縦断面図である。
【発明を実施するための形態】
【００２５】
以下に、本発明の一実施形態にかかる蓄電装置消火設備について図面を参照して説明する。
［第１実施形態］
蓄電装置消火設備は、図１に示されているように、蓄電装置１に設けられている。蓄電装置１は、コンテナ２と電池用ラック３と複数の二次電池モジュール５−１〜５−ｎ（ｎ＝２，３，４，…）とを備えている。コンテナ２は、箱型に形成され、内部に収納空間６を形成している。コンテナ２は、収納空間６に面する床面７と壁面８とが形成されている。床面７は、平坦であり、水平面に沿って形成されている。壁面８は、平坦であり、鉛直方向に平行である平面に沿うように形成されている。電池用ラック３は、コンテナ２の内部の収納空間６に配置され、床面７に載置され、壁面８に沿って配置されている。電池用ラック３は、複数の棚が形成されている。複数の二次電池モジュール５−１〜５−ｎは、それぞれ、電池用ラック３が形成する複数の棚に載置されている。
【００２６】
収納空間６は、図２に示されるように、収納領域１０と冷却空気上流側領域１１と冷却空気下流側領域１２とを含んでいる。収納領域１０は、収納空間６のうちの電池用ラック３が配置されている領域であり、複数の二次電池モジュール５−１〜５−ｎが配置されている。冷却空気上流側領域１１は、収納空間６のうちの電池用ラック３とコンテナ２の壁面８との間に挟まれた領域である。冷却空気下流側領域１２は、収納空間６の中央であり、すなわち、収納領域１０が冷却空気上流側領域１１と冷却空気下流側領域１２との間に配置されるように配置されている。
【００２７】
蓄電装置１は、さらに、空気調和装置１４を備えている。空気調和装置１４は、ダクト１５と空気調和装置本体１６とを備えている。ダクト１５は、コンテナ２の内部に収納空間６の上部に配置されている。ダクト１５は、吸気口１７と吹出し口１８とが形成されている。吸気口１７は、コンテナ２の天井１９の概ね中央に配置され、収納空間６の冷却空気下流側領域１２に接するように配置されている。吹出し口１８は、コンテナ２の天井１９のうちの壁面８の近傍に配置され、収納空間６の冷却空気上流側領域１１に接するように配置されている。空気調和装置本体１６は、冷却空気下流側領域１２にある空気を吸気口１７から吸気し、吸気された空気を冷却し、冷却された冷却空気を吹出し口１８から冷却空気上流側領域１１に噴射する。
【００２８】
第１実施形態における蓄電装置消火設備２１は、図３に示されるように、消火剤供給装置２２と複数の噴射ノズル２３と分岐管２４とを備え、さらに、図示されていない煙探知機と制御装置とを備えている。消火剤供給装置２２は、窒素ガスを貯蔵する窒素ボンベから形成されている。消火剤供給装置２２は、コンテナ２の内部に収納空間６の隅に配置されている。消火剤供給装置２２は、制御装置に制御されることにより、分岐管２４を介して複数の噴射ノズル２３に窒素ガスを供給する。
【００２９】
複数の噴射ノズル２３は、冷却空気上流側領域１１の下部に分散されて配置され、分岐管２４を介して消火剤供給装置２２に接続されている。複数の噴射ノズル２３は、消火剤供給装置２２から窒素ガスが供給されることにより、窒素ガスを冷却空気上流側領域１１に上向きに噴射する。分岐管２４は、冷却空気上流側領域１１の下部に配置され、消火剤供給装置２２と複数の噴射ノズル２３とに接続される流路を形成している。分岐管２４は、消火剤供給装置２２から窒素ガスが供給されることにより流路を介して窒素ガスを複数の噴射ノズル２３にそれぞれ供給する。
【００３０】
煙探知機は、コンテナ２の収納空間６の上部に配置され、制御装置に情報伝達可能に接続されている。煙探知機は、煙探知機に入ってくる空気に煙が含まれているかどうかを監視し、煙を感知したときに、煙を感知したことを示す信号を制御装置に送信する。
【００３１】
制御装置は、コンピュータから形成され、例えば、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、及びコンピュータ読み取り可能な記憶媒体等から構成されている。そして、各種機能を実現するための一連の処理は、一例として、プログラムの形式で記憶媒体等に記憶されており、このプログラムをＣＰＵがＲＡＭ等に読み出して、情報の加工・演算処理を実行することにより、各種機能が実現される。なお、プログラムは、ＲＯＭやその他の記憶媒体に予めインストールしておく形態や、コンピュータ読み取り可能な記憶媒体に記憶された状態で提供される形態、有線又は無線による通信手段を介して配信される形態等が適用されてもよい。コンピュータ読み取り可能な記憶媒体とは、磁気ディスク、光磁気ディスク、ＣＤ−ＲＯＭ、ＤＶＤ−ＲＯＭ、半導体メモリ等である。
【００３２】
制御装置は、煙を感知したことを示す信号を煙探知機から受信したときに、窒素ガスが分岐管２４を介して複数の噴射ノズル２３に供給されるように、消火剤供給装置２２を制御する。
【００３３】
複数の二次電池モジュール５−１〜５−ｎの任意の二次電池モジュール５−ｉ（ｉ＝１，２，３，…，ｎ）は、図４に示されるように、二次電池モジュール本体２６とモジュールファン２７とを備えている。二次電池モジュール本体２６は、リチウムイオン二次電池から形成されている。二次電池モジュール本体２６は、充放電することにより発熱する。二次電池モジュール本体２６は、さらに、劣化の進展、異物混入による電池内部の短絡、過充電、加熱など種々の原因で温度が急上昇する熱暴走を起こし、出火することがある。なお、二次電池モジュール本体２６は、リチウムイオン二次電池と異なる他の二次電池に置換されることができる。二次電池としては、鉛二次電池、ニッケル水素二次電池が例示される。
【００３４】
モジュールファン２７は、冷却空気上流側領域１１から冷却空気を吸い込み、吸い込んだ冷却空気を二次電池モジュール本体２６に接触させ、二次電池モジュール本体２６に接触した後の空気を冷却空気下流側領域１２に吐出する。
【００３５】
次いで、空気調和装置１４の動作を説明する。
空気調和装置１４は、複数の二次電池モジュール５−１〜５−ｎが充放電しているときに、ダクト１５の吸気口１７を介して収納空間６の冷却空気下流側領域１２から空気を吸気する。冷却空気下流側領域１２から吸気された空気は、空気調和装置本体１６により冷却される。空気調和装置本体１６により冷却された冷却空気は、ダクト１５の吹出し口１８から収納空間６の冷却空気上流側領域１１に吐出される。冷却空気上流側領域１１に吐出された冷却空気は、複数の二次電池モジュール５−１〜５−ｎの各々のモジュールファン２７により吸い込まれ、複数の二次電池モジュール５−１〜５−ｎの各々の二次電池モジュール本体２６に送風される。二次電池モジュール本体２６に送風された冷却空気は、二次電池モジュール本体２６に接触することにより、二次電池モジュール本体２６を冷却する。二次電池モジュール本体２６を冷却した冷却空気は、モジュールファン２７により冷却空気下流側領域１２に吐出される。
【００３６】
すなわち、収納空間６にある空気は、空気調和装置１４とモジュールファン２７とにより、冷却空気上流側領域１１から収納領域１０を通って冷却空気下流側領域１２に流れるように収納空間６を循環している。複数の二次電池モジュール５−１〜５−ｎの二次電池モジュール本体２６は、空気調和装置１４により冷却された冷却空気が収納空間６を循環することにより、適切に冷却される。二次電池モジュール本体２６は、冷却空気により適切に冷却されることにより、過熱が防止され、適切に充放電することができる。
【００３７】
次いで、蓄電装置消火設備２１の動作を説明する。
蓄電装置消火設備２１は、煙探知機がコンテナ２の収納空間６に煙が発生しているかどうかを常時監視している。二次電池モジュール本体２６は、熱暴走を起こしたときに、出火し、煙を発生することがある。煙探知機は、煙を感知すると、煙が感知されたことを示す信号を制御装置に出力する。制御装置は、二次電池モジュール本体２６から発生した煙が感知されたことを示す信号を煙探知機から受信すると、消火剤供給装置２２を制御することにより、分岐管２４を介して窒素ガスを複数の噴射ノズル２３に供給する。複数の噴射ノズル２３に供給された窒素ガスは、収納空間６の冷却空気上流側領域１１に上向きに噴射される。
【００３８】
冷却空気上流側領域１１に噴射された窒素ガスは、冷却空気が冷却空気上流側領域１１から収納領域１０を通って冷却空気下流側領域１２に流れるように循環していることにより、冷却空気とともに冷却空気が冷却空気上流側領域１１から収納領域１０を通って冷却空気下流側領域１２に流れ、収納空間６を循環する。窒素ガスは、冷却空気とともに収納空間６を循環することにより、複数の二次電池モジュール５−１〜５−ｎの収納空間６の隅々に短時間に行き渡る。出火した二次電池モジュール二次電池モジュール５−ｉは、窒素ガスが供給されることにより、周囲の空気に含まれる酸素の濃度が低減され、窒息消火される。
【００３９】
すなわち、蓄電装置消火設備２１は、複数の噴射ノズル２３から窒素ガスを噴射することにより、収納空間６のうちの一箇所から窒素ガスを噴射する他の蓄電装置消火設備に比較して、冷却空気上流側領域１１の全体に窒素ガスを供給することができ、複数の二次電池モジュール５−１〜５−ｎの収納空間６に窒素ガスをより短時間に行き渡らせることができる。
【００４０】
蓄電装置消火設備２１は、収納空間６のうちの冷却空気上流側領域１１に窒素ガスを噴射することにより、冷却空気とともに窒素ガスを収納空間６に適切に循環させることができ、窒素ガスを複数の二次電池モジュール５−１〜５−ｎの収納空間６に適切に行き渡らせることができる。蓄電装置消火設備２１は、冷却空気上流側領域１１に窒素ガスを噴射することにより、収納空間６のうちの冷却空気下流側領域１２に窒素ガスを噴射する他の蓄電装置消火設備に比較して、窒素ガスを複数の二次電池モジュール５−１〜５−ｎに短時間に適切に供給することができる。
【００４１】
［第２実施形態］
第２実施形態における蓄電装置消火設備３１は、図５に示されているように、既述の第１実施形態における蓄電装置消火設備２１が、消火剤供給装置３２と分岐管３４とをさらに備えている。消火剤供給装置３２は、水平方向で異なる位置に配置され、コンテナ２の内部の収納空間６の消火剤供給装置２２が配置されている領域と反対側の領域に配置されている。消火剤供給装置３２は、消火剤供給装置２２と同様にして、制御装置に制御されることにより、窒素ガスを分岐管３４に供給する。複数の噴射ノズル２３のうちの消火剤供給装置２２より消火剤供給装置３２に近い側の複数の噴射ノズルは、分岐管３４を介して消火剤供給装置３２に接続されている。
【００４２】
制御装置は、煙探知機により煙が感知されると、消火剤供給装置２２を制御することにより分岐管２４を介して窒素ガスを複数の噴射ノズル２３のうちの消火剤供給装置２２に近い側の噴射ノズルに供給し、さらに、消火剤供給装置３２を制御することにより分岐管３４を介して窒素ガスを複数の噴射ノズル２３のうちの消火剤供給装置３２に近い側の噴射ノズルに供給する。蓄電装置消火設備３１は、このような動作により、既述の第１実施形態における蓄電装置消火設備２１と同様にして、窒素ガスを複数の二次電池モジュール５−１〜５−ｎに短時間に適切に供給することができ、収納空間６に窒素ガスを適切に行き渡らせることができる。
【００４３】
既述の第１実施形態における蓄電装置消火設備２１は、複数の噴射ノズル２３のうちの消火剤供給装置２２から遠い噴射ノズルから窒素ガスが噴射される時刻が、複数の噴射ノズル２３のうちの消火剤供給装置２２に近い噴射ノズルから窒素ガスが噴射される時刻より遅くなることがある。
【００４４】
本第２実施形態における蓄電装置消火設備３１は、複数の噴射ノズル２３に窒素ガスを供給する２つの消火剤供給装置２２、３２が離れて配置されていることにより、窒素ガスが複数の噴射ノズル２３からそれぞれ噴射される複数の時刻のばらつきを低減することができ、収納空間６に窒素ガスを適切に行き渡らせることができる。
【００４５】
なお、蓄電装置消火設備３１は、３つ以上の消火剤供給装置を備えることもできる。このとき、複数の噴射ノズル２３の各々は、それぞれ、３つ以上の消火剤供給装置のうちの最も近い消火剤供給装置に分岐管を介して接続されている。このような蓄電装置消火設備も、第２実施形態における蓄電装置消火設備３１と同様にして、窒素ガスが複数の噴射ノズル２３からそれぞれ噴射される複数の時刻のばらつきを低減することができ、収納空間６に窒素ガスを適切に行き渡らせることができる。
【００４６】
［第３実施形態］
第３実施形態における蓄電装置消火設備４１は、図６に示されているように、既述の第１実施形態における蓄電装置消火設備２１が、複数の高さ方向分散噴射ノズル４３と鉛直方向分岐管４４とをさらに備えている。複数の高さ方向分散噴射ノズル４３は、冷却空気上流側領域１１のうちの消火剤供給装置２２に近い側の端に配置され、鉛直線上の互いに異なる複数の位置にそれぞれ配置されている。すなわち、床面７から複数の高さ方向分散噴射ノズル４３までの距離は、互いに異なっている。
【００４７】
鉛直方向分岐管４４は、図７に示されるように、分岐管２４から分岐し、鉛直線に沿って冷却空気上流側領域１１に配置され、複数の高さ方向分散噴射ノズル４３に接続されている。複数の高さ方向分散噴射ノズル４３は、分岐管２４と鉛直方向分岐管４４とを介して消火剤供給装置２２から窒素ガスが供給されることにより、冷却空気上流側領域１１の中央の側に向かって、水平方向に窒素ガスを噴射する。
【００４８】
蓄電装置消火設備４１は、既述の第１実施形態における蓄電装置消火設備２１と同様にして、煙探知機により煙が感知されると複数の噴射ノズル２３と複数の高さ方向分散噴射ノズル４３とに窒素ガスを供給することにより、複数の噴射ノズル２３から冷却空気上流側領域１１に窒素ガスを噴射し、複数の高さ方向分散噴射ノズル４３から冷却空気上流側領域１１に窒素ガスを噴射する。蓄電装置消火設備４１は、このような動作により、既述の第１実施形態における蓄電装置消火設備２１と同様にして、窒素ガスを複数の二次電池モジュール５−１〜５−ｎに短時間に適切に供給することができ、収納空間６に窒素ガスを適切に行き渡らせることができる。
【００４９】
既述の第１実施形態における蓄電装置消火設備２１と第２実施形態における蓄電装置消火設備３１とは、床面７に近い複数の噴射ノズル２３のみから窒素ガスを噴射していることにより、複数の二次電池モジュール５−１〜５−ｎのうちの床面７から遠い二次電池モジュールに窒素ガスが供給される時刻が、複数の二次電池モジュール５−１〜５−ｎのうちの床面７に近い二次電池モジュールに窒素ガスが供給される時刻より遅くなることがある。
【００５０】
本第３実施形態における蓄電装置消火設備４１は、複数の高さ方向分散噴射ノズル４３が互いに異なる複数の高さに配置されていることにより、複数の二次電池モジュール５−１〜５−ｎが鉛直方向に分散して配置されている場合でも、複数の二次電池モジュール５−１〜５−ｎに窒素ガスがそれぞれ供給される複数の時刻のばらつきを短縮することができ、複数の二次電池モジュール５−１〜５−ｎに窒素ガスを適切に供給することができる。
【００５１】
［第４実施形態］
第４実施形態における蓄電装置消火設備５１は、図８に示されているように、既述の第２実施形態における蓄電装置消火設備３１が、複数の第１噴射ノズル５２と第１鉛直方向分岐管５３と複数の第２噴射ノズル５４と第２鉛直方向分岐管５５とをさらに備えている。
【００５２】
複数の第１噴射ノズル５２は、冷却空気上流側領域１１のうちの消火剤供給装置２２に近い側の端に配置され、鉛直線上の互いに異なる複数の位置にそれぞれ配置されている。第１鉛直方向分岐管５３は、分岐管２４から分岐し、鉛直線に沿うように配置され、複数の第１噴射ノズル５２に接続されている。
複数の第２噴射ノズル５４は、冷却空気上流側領域１１のうちの消火剤供給装置３２に近い側の端に配置され、鉛直線上の互いに異なる複数の位置にそれぞれ配置されている。第２鉛直方向分岐管５５は、分岐管３４から分岐し、鉛直線に沿うように配置され、複数の第２噴射ノズル５４に接続されている。
【００５３】
蓄電装置消火設備５１は、煙探知機により煙が感知されると、消火剤供給装置２２と消火剤供給装置３２とを制御することにより、窒素ガスを複数の噴射ノズル２３と複数の第１噴射ノズル５２と複数の第２噴射ノズル５４とから冷却空気上流側領域１１に窒素ガスを噴射する。蓄電装置消火設備５１は、このような動作により、既述の実施形態における蓄電装置消火設備と同様にして、窒素ガスを複数の二次電池モジュール５−１〜５−ｎに短時間に適切に供給することができ、収納空間６に窒素ガスを適切に行き渡らせることができる。
【００５４】
蓄電装置消火設備５１は、既述の第２実施形態における蓄電装置消火設備３１に比較して、鉛直方向に分散して配置されている複数の二次電池モジュール５−１〜５−ｎに窒素ガスがそれぞれ供給される複数の時刻のばらつきを短縮することができ、複数の二次電池モジュール５−１〜５−ｎに窒素ガスをより適切に供給することができる。
蓄電装置消火設備５１は、さらに、既述の第３実施形態における蓄電装置消火設備４１に比較して、水平方向に互いに異なる複数の位置にそれぞれ配置される複数の噴射ノズル２３から窒素ガスがそれぞれ噴射される複数の時刻のばらつきを低減することができ、収納空間６に窒素ガスをより適切に行き渡らせることができる。
【００５５】
［第５実施形態］
第５実施形態における蓄電装置消火設備６１は、図９に示されているように、既述の第１実施形態における蓄電装置消火設備２１が、複数の煙探知機６２−１〜６２−ｍ（ｍ＝２，３，４，…）と複数の電磁弁６３−１〜６３−（ｍ−１）とを備えている。複数の煙探知機６２−１〜６２−ｍは、コンテナ２の天井１９に配置され、収納空間６が分岐管２４の長手方向に分割された複数の領域６４−１〜６４−ｍにそれぞれ配置され、すなわち、複数の煙探知機６２−１〜６２−ｍの各煙探知機６２−ｊ（ｊ＝１，２，３，…，ｍ）は、複数の領域６４−１〜６４−ｍのうちの１つの領域６４−ｊに配置されている。煙探知機６２−ｊは、さらに、制御装置に情報伝達可能に接続され、煙探知機６２−ｊに入ってくる空気に煙が含まれているかどうかを監視し、煙を感知したときに、煙を感知したことを示す信号を制御装置に送信する。
【００５６】
分岐管２４により形成される流路は、複数の流路６５−１〜６５−ｍに分割されている。複数の流路６５−１〜６５−ｍは、複数の領域６４−１〜６４−ｍにそれぞれ配置されるように形成され、流路６５−ｊは、領域６４−ｊに配置されるように形成されている。複数の噴射ノズル２３は、複数の流路６５−１〜６５−ｍにそれぞれ接続されている複数の噴射ノズルを含んでいる。このとき、複数の噴射ノズル２３のうちの流路６５−ｊに接続される噴射ノズルは、流路６５−ｊに窒素ガスが供給されることにより、流路６５−ｊが配置される領域６４−ｊに上向きに窒素ガスを噴射する。
【００５７】
複数の電磁弁６３−１〜６３−（ｍ−１）は、分岐管２４の途中にそれぞれ設けられ、複数の電磁弁６３−１〜６３−（ｍ−１）の各電磁弁６３−ｊは、分岐管２４のうちの流路６５−ｊと流路６５−（ｊ＋１）との接続部分に設けられている。電磁弁６３−ｊは、さらに、制御装置に情報伝達可能に接続され、制御装置に情報伝達可能に接続されることにより、流路６５−ｊと流路６５−（ｊ＋１）との接続部分を開放したり閉鎖したりする。
【００５８】
制御装置は、複数の煙探知機６２−１〜６２−ｍのうちの１つの煙探知機６２−ｊが煙を感知したときに、複数の流路６５−１〜６５−ｍのうちの煙探知機６２−ｊが配置される領域６４−ｊに配置される流路６５−ｊが消火剤供給装置２２に接続されるように、かつ、流路６５−ｊより下流側の流路が消火剤供給装置２２に接続されないように、複数の電磁弁６３−１〜６３−（ｍ−１）を制御する。複数の電磁弁６３−１〜６３−（ｍ−１）は、煙探知機６２−ｊが煙を感知したときに、電磁弁６３−１〜６３−（ｊ−１）が開放されて電磁弁６３−ｊが閉鎖され、たとえば、煙探知機６２−１が煙を感知したときに、複数の電磁弁６３−１〜６３−（ｍ−１）が閉鎖され、煙探知機６２−５が煙を感知したときに、複数の電磁弁６３−１〜６３−（ｍ−１）が開放される。
【００５９】
蓄電装置消火設備６１は、このような動作により、既述の実施形態における蓄電装置消火設備と同様にして、窒素ガスを複数の二次電池モジュール５−１〜５−ｎに短時間に適切に供給することができ、収納空間６に窒素ガスを適切に行き渡らせることができる。
【００６０】
蓄電装置消火設備６１は、さらに、収納空間６に分散して配置された複数の煙探知機６２−１〜６２−ｍのいずれかが煙を感知したときに窒素ガスが噴射されることにより、煙探知機を１つだけ備える他の蓄電装置消火設備に比較して、煙の発生をより早く感知することができ、冷却空気上流側領域１１に窒素ガスをより早く噴射させることができ、収納空間６に窒素ガスをより早く行き渡らせることができる。
【００６１】
蓄電装置消火設備６１は、たとえば、領域６４−１に配置される二次電池モジュールが出火したときに、領域６４−１に配置される煙探知機６２−１が煙を感知し、複数の噴射ノズル２３のうちの流路６５−１に接続されている噴射ノズルから窒素ガスが噴射される。すなわち、窒素ガスは、出火した二次電池モジュールが配置されている領域６４−１の冷却空気上流側領域１１に多く噴射され、このため、出火した二次電池モジュールは適切に迅速に消火される。
すなわち、蓄電装置消火設備６１は、複数の二次電池モジュール５−１〜５−ｎのうちの領域６４−ｍと異なる領域に配置される二次電池モジュールが出火したときに、複数の煙探知機６２−１〜６２−ｍのうちの煙を感知した煙探知機に基づいて複数の電磁弁６３−１〜６３−（ｍ−１）から選択された電磁弁を開閉することにより、出火した二次電池モジュールに比較的多くの窒素ガスを供給することができる。このため、蓄電装置消火設備６１は、出火した二次電池モジュールを適切に迅速に消火することができる。
【００６２】
なお、複数の電磁弁６３−１〜６３−（ｍ−１）は、制御装置に制御されることにより開閉する他の開閉弁に置換されることもできる。開閉弁としては、電動弁が例示される。蓄電装置消火設備６１は、このような開閉弁が適用された場合でも、収納空間６に窒素ガスをより適切に行き渡らせることができる。
【００６３】
なお、蓄電装置消火設備６１は、複数の電磁弁６３−１〜６３−（ｍ−１）を省略することができる。蓄電装置消火設備６１は、複数の電磁弁６３−１〜６３−（ｍ−１）が省略された場合でも、煙探知機を１つだけ備える他の蓄電装置消火設備に比較して、煙の発生をより早く感知することにより、冷却空気上流側領域１１に窒素ガスをより早く噴射させることができ、収納空間６に窒素ガスをより早く行き渡らせることができる。
【００６４】
なお、窒素ガスは、窒息消火に利用される他の消火剤に置換されることができる。消火剤としては、二酸化炭素が例示される。このような消火剤を利用する蓄電装置消火設備も、既述の実施形態における蓄電装置消火設備と同様にして、収納空間６に消火剤をより早く行き渡らせることができる。
【符号の説明】
【００６５】
１  ：蓄電装置
２  ：コンテナ
３  ：電池用ラック
５−１〜５−ｎ：複数の二次電池モジュール
６  ：収納空間
１１：冷却空気上流側領域
１４：空気調和装置
２１：蓄電装置消火設備
２２：消火剤供給装置
２３：複数の噴射ノズル
２４：分岐管
２６：二次電池モジュール本体
２７：モジュールファン
３１：蓄電装置消火設備
３２：消火剤供給装置
３４：分岐管
４１：蓄電装置消火設備
４３：複数の高さ方向分散噴射ノズル
４４：鉛直方向分岐管
５１：蓄電装置消火設備
５２：複数の第１噴射ノズル
５３：第１鉛直方向分岐管
５４：複数の第２噴射ノズル
５５：第２鉛直方向分岐管
６１：蓄電装置消火設備
６２−１〜６２−ｍ：複数の煙探知機
６３−１〜６３−（ｍ−１）：複数の電磁弁
６４−１〜６４−ｍ：複数の領域
６５−１〜６５−ｍ：複数の流路
【図１】
2016067642.tif 000003
【図２】
2016067642.tif 000004
【図３】
2016067642.tif 000005
【図４】
2016067642.tif 000006
【図５】
2016067642.tif 000007
【図６】
2016067642.tif 000008
【図７】
2016067642.tif 000009
【図８】
2016067642.tif 000010
【図９】
2016067642.tif 000011